(57)【特許請求の範囲】
【請求項１】
複数のウェアラブルカメラと、前記ウェアラブルカメラに取り付けられたタグを読み取るタグリーダと、前記ウェアラブルカメラとそのユーザの認証を行う情報処理装置と、を備えたウェアラブルカメラとそのユーザを認証する認証システムであって、
前記ウェアラブルカメラは、複数の前記ウェアラブルカメラの各々を識別する識別情報を有するタグを有し、
前記タグリーダは、前記ウェアラブルカメラが所定位置に置かれたときに前記タグを読み取って前記ウェアラブルカメラの識別情報を抽出し、
前記情報処理装置は、前記ウェアラブルカメラが前記所定位置に置かれたときに、前記ユーザの自己の識別情報を入力させるログイン画面を表示し、前記ユーザが前記自己の識別情報を入力したときに、前記タグリーダにより抽出された識別情報と前記ユーザにより入力されたユーザ識別情報とを紐付けて登録し、前記ウェアラブルカメラを前記ユーザに使用開始とさせる、
ウェアラブルカメラとそのユーザを認証する認証システム。
【請求項２】
請求項１に記載のウェアラブルカメラとそのユーザを認証する認証システムであって、
音あるいはＬＥＤの点灯により、前記ユーザの前記自己の識別情報の入力を促す、
ウェアラブルカメラとそのユーザを認証する認証システム。
【請求項３】
複数のウェアラブルカメラと、前記ウェアラブルカメラに取り付けられたタグを読み取るタグリーダと、前記ウェアラブルカメラとそのユーザの認証を行う情報処理装置と、を備えたウェアラブルカメラとそのユーザを認証する認証システムにおける認証方法であって、
前記ウェアラブルカメラは、複数の前記ウェアラブルカメラの各々を識別する識別情報を有するタグを有し、
前記タグリーダは、前記ウェアラブルカメラが所定位置に置かれたときに前記タグを読み取って前記ウェアラブルカメラの識別情報を抽出し、
前記情報処理装置は、前記ウェアラブルカメラが前記所定位置に置かれたときに、前記ユーザの自己の識別情報を入力させるログイン画面を表示し、前記ユーザが前記自己の識別情報を入力したときに、前記タグリーダにより抽出された前記ウェアラブルカメラの識別情報と前記ユーザにより入力されたユーザ識別情報とを紐付けて登録し、前記ウェアラブルカメラを前記ユーザに使用開始とさせる、
認証方法。
【発明の詳細な説明】
【技術分野】
【０００１】
本発明は、複数の携帯端末（例えば、ウェアラブルカメラ）の認識と、携帯端末を利用するユーザを認証する認証装置（例えば、パーソナルコンピュータ）とを備えたウェアラブルカメラとそのユーザを認証する認証システム及び認証装置の認証方法に関する。
【背景技術】
【０００２】
近年、警察官や警備員の業務を支援するために、ウェアラブルカメラの導入が検討されている。
ウェアラブルカメラに類似するカメラ付き懐中電灯などの携帯端末機器を用いた認証システムとして、例えば特許文献１に記載された認証システムがある。特許文献１に記載された認証システムは、カメラ付き懐中電灯である携帯端末と、該携帯端末の充電機能を有するクレードルと、該クレードルに接続されたパーソナルコンピュータを有しており、当該システムが警備に用いられる場合、巡回パトロールを始めようとする警備員が、まず個人認証情報の入力を含む認証作業を実施した後、携帯端末をクレードルから抜き取る。この抜き取りに応答して、該携帯端末にて録画処理が開始され、パーソナルコンピュータに接続された外部機器に対してパーソナルコンピュータから認証結果データを含む警備開始通知メールが送信される。警備員は、巡回を終えて携帯端末をクレードルに戻すと、警備終了通知メールが外部機器に送信される。その後、携帯端末における録画処理は終了されて、撮像データはパーソナルコンピュータ内の主記録媒体に転送される。
【先行技術文献】
【特許文献】
【０００３】
【特許文献１】特開２０１４−１４６１８４号公報
【発明の概要】
【発明が解決しようとする課題】
【０００４】
しかしながら、上記従来の技術は、ユーザ（警備員）の認証はされているものの、どの携帯端末をユーザが持ち出したか分からず、携帯端末で録画した映像を誰が撮影したか分からない。そのため、誰によって撮影された画像かを識別するには、ユーザと携帯端末との紐付けが必要となるが、携帯端末の認識作業に時間がかかればこの紐付けに時間がかかる場合があり、携帯端末を必要なときにすぐに持ち出すことができない恐れがあった。
【０００５】
本発明は、係る事情に鑑みてなされたものであり、携帯端末認識、ユーザ認証を含めたユーザと携帯端末との紐付け作業における処理時間の短縮化が図れるウェアラブルカメラとそのユーザを認証する認証システム及び認証装置の認証方法を提供することを目的とする。
【課題を解決するための手段】
【０００６】
本発明は、複数のウェアラブルカメラと、前記ウェアラブルカメラに取り付けられたタグを読み取るタグリーダと、前記ウェアラブルカメラとそのユーザの認証を行う情報処理装置と、を備えたウェアラブルカメラとそのユーザを認証する認証システムであって、前記ウェアラブルカメラは、複数の前記ウェアラブルカメラの各々を識別する識別情報を有するタグを有し、前記タグリーダは、前記ウェアラブルカメラが所定位置に置かれたときに前記タグを読み取って前記ウェアラブルカメラの識別情報を抽出し、前記情報処理装置は、前記ウェアラブルカメラが前記所定位置に置かれたときに、前記ユーザの自己の識別情報を入力させるログイン画面を表示し、前記ユーザが前記自己の識別情報を入力したときに、前記タグリーダにより抽出された識別情報と前記ユーザにより入力されたユーザ識別情報とを紐付けて登録し、前記ウェアラブルカメラを前記ユーザに使用開始とさせる。
【０００７】
また、本発明の認証方法は、複数のウェアラブルカメラと、前記ウェアラブルカメラに取り付けられたタグを読み取るタグリーダと、前記ウェアラブルカメラとそのユーザの認証を行う情報処理装置と、を備えたウェアラブルカメラとそのユーザを認証する認証システムにおける認証方法であって、前記ウェアラブルカメラは、複数の前記ウェアラブルカメラの各々を識別する識別情報を有するタグを有し、前記タグリーダは、前記ウェアラブルカメラが所定位置に置かれたときに前記タグを読み取って前記ウェアラブルカメラの識別情報を抽出し、前記情報処理装置は、前記ウェアラブルカメラが前記所定位置に置かれたときに、前記ユーザの自己の識別情報を入力させるログイン画面を表示し、前記ユーザが前記自己の識別情報を入力したときに、前記タグリーダにより抽出された前記ウェアラブルカメラの識別情報と前記ユーザにより入力されたユーザ識別情報とを紐付けて登録し、前記ウェアラブルカメラを前記ユーザに使用開始とさせる。
【発明の効果】
【０００８】
本発明によれば、携帯端末認識、ユーザ認証を含めたユーザと携帯端末との紐付け作業における処理時間の短縮化が図れる。
【図面の簡単な説明】
【０００９】
【図１】本発明の一実施の形態に係る認証システムの概略構成を示す斜視図
【図２】図１の認証システムのカメラの外観を示す斜視図
【図３】図１の認証システムのカメラの概略構成を示すブロック図
【図４】図１の認証システムの認証処理において、カメラのシリアル番号とタグＩＤの対応表を作成する処理を示す図
【図５】図１の認証システムの認証処理において、タグＩＤと警官ＩＤの対応表を作成する処理を示す図
【図６】図１の認証システムの認証処理におけるログイン画面の一例を示す図
【図７】図１の認証システムで扱われる映像ファイルを示す図
【図８】図１の認証システムにおいて、パーソナルコンピュータからサーバへの映像ファイルの転送の様子を示す図
【図９】図１の認証システムで扱われる映像ファイルの構成を示す図
【図１０】図１の認証システムの認証処理において、警官ＩＤ、警察署、…を自動設定して得られたイベントリストを示す図
【図１１】図１の認証システムの認証処理において、警察官の出動前の登録処理をフローチャート形式で示した図
【発明を実施するための形態】
【００１０】
以下、本発明を実施するための好適な実施の形態について、図面を参照して詳細に説明する。
【００１１】
図１は、本発明の一実施の形態に係る認証システムの概略構成を示す斜視図である。同図において、本実施の形態に係る認証システム１は、録画可能であり身体に装着可能な（ウェアラブル）カメラ（携帯端末）２と、カメラ２の認識やカメラ２を扱う人（ユーザ）の認証を行うパーソナルコンピュータ（認証装置）３と、カメラ２のバッテリを充電し、またカメラ２をパーソナルコンピュータ３に接続するクレードル４と、カメラ２に取付けるタグ（図１では図示していない）に記録されたタグＩＤ（識別情報）を読み取るタグリーダ５（認識部）と、カメラ２で撮像して得られた撮像データとユーザとを紐付けて保存するサーバ６とを備える。図１では１台のカメラ２のみ示しているが、カメラ２は複数台あり、それぞれ別々のタグＩＤが付与されており、カメラ２のそれぞれに対応する複数のクレードル４がある。なお、本実施の形態に係る認証システム１は、警察署で使用されるものとし、ユーザは警察官を想定しているが、その他様々な事業所（例えば、従来例の警備会社等）で使用できることは言うまでもない。
【００１２】
図２は、本実施の形態に係る認証システム１のカメラ２の外観を示す斜視図であり、同図の（ａ）は正面側を示し、同図の（ｂ）は裏面側を示す。この場合、同図の（ｂ）は上下逆さまにした状態を示している。同図の（ａ）、（ｂ）に示すように、カメラ２は、縦長方形状に形成されており、本体正面の上部中央にレンズ２１が設けられており、カメラ２の本体上面には録画ボタン２２とスナップショットボタン２３が設けられている。また、カメラ２の本体正面の下部には３個のＬＥＤ（発光ダイオード）２４〜２６が等間隔で設けられており、カメラ２の本体右面にはＷｉ−Ｆｉ（登録商標）ボタン２７が設けられている。カメラ２の本体裏面にはタグ２８が取付けられている。カメラ２の本体下面にはクレードル４と電気的に接続するためのコンタクトターミナル２９が設けられている。録画ボタン２２は、動画撮像時に操作するボタンであり、これを押下することで動画の撮像が開始される。スナップショットボタン２３は静止画撮像時に操作するボタンであり、これを押下することで静止画が撮像される。
【００１３】
ＬＥＤ２４は、カメラ２の電源投入状態を示すランプであり、電源ボタン（図示略）が押下されることで点灯する。ＬＥＤ２５は、カメラ２の録画状態を示すランプであり、録画ボタン２２が押下されることで点灯する。ＬＥＤ２５は録画中継続して点灯する。ＬＥＤ２６は、Ｗｉ−Ｆｉによる無線通信状態を示すランプであり、Ｗｉ−Ｆｉボタン２７が押下されることで点灯する。特に、ＬＥＤ２６は、２色点灯が可能なＬＥＤであり、Ｗｉ−Ｆｉボタン２７の押下によって異なる色で点灯する。すなわち、１回目の押下によって第１色（例えば、赤）で点灯し、２回目の押下によって第２色（例えば、緑）で点灯し、３回目の押下によって消灯する。これらの状態がＷｉ−Ｆｉボタン２７の押下によって繰り返される。つまり、Ｗｉ−Ｆｉボタン２７の押下毎に第１色点灯→第２色点灯→消灯→第１色点灯→・・・が繰り返される。
【００１４】
カメラ２には通信に関するモードとして、アクセスポイントモードとステーションモードが用意されており、Ｗｉ−Ｆｉボタン２７の押下が行われる毎にアクセスポイントモード→ステーションモード→通信オフ→アクセスポイントモード…と、モードが切り替わる。そして、モードの切り替えに応じてＬＥＤ２６の点灯色が変わる。すなわち、アクセスポイントモード時には第１色で点灯し、ステーションモード時には第２色で点灯する。なお、通信オフ時には消灯する。
【００１５】
タグ２８は、ＮＦＣ（Near Field Communication）チップを有する近距離通信用タグであり、複数のカメラ２を識別するタグＩＤが記録される。なお、タグ２８としては、近距離通信用タグを用いる他に、バーコードや他のＩＣタグ（ＲＦＩＤ等）を用いることも勿論可能であり、非接触でかつ近距離で通信可能な媒体であればよい。
【００１６】
コンタクトターミナル２９には、図２（ｂ）に示すように、「充電端子Ｖ＋」、「ＣＯＮ．ＤＥＴ端子」、「データ端子Ｄ−，Ｄ＋」及び「グランド端子」が設けられている。ＣＯＮ．ＤＥＴ端子は、電圧変化を検出するための端子である。データ端子Ｄ−，Ｄ＋は、パーソナルコンピュータ３にカメラ２で撮像した撮像データ等を送信するための端子である。コンタクトターミナル２９は、クレードル４のコネクタ（図示略）と接続される。すなわち、カメラ２をクレードル４にセットすることで、コンタクトターミナル２９がクレードル４のコネクタと接続される。コンタクトターミナル２９とクレードル４のコネクタが接続されることで、カメラ２とパーソナルコンピュータ３との間でデータ通信が可能となる。
【００１７】
図３は、本実施の形態に係る認証システム１のカメラ２の概略構成を示すブロック図である。同図において、カメラ２は、上述した録画ボタン２２、スナップショットボタン２３、ＬＥＤ２４〜２６、Ｗｉ−Ｆｉボタン２７及びコンタクトターミナル２９の他に、撮像部２００、ＧＰＩＯ（General Purpose Input/Output）２０１、ＲＡＭ（Random Access Memory）２０２、ＲＯＭ（Read Only Memory）２０３、ＳＤメモリ（ＳＤカード）２０４、ＥＥＰＲＯＭ（Electrically Erasable Programmable Read-Only Memory）２０５、ＲＴＣ（Real Time Clock）２０６、ＧＰＳ（Global Positioning System）２０７、ＣＰＵ（Central Processing Unit）２０８、物理層（Physical Layer）２０９、Ｗｉ−Ｆｉ通信部２１０、ＵＳＢ（Universal Serial Bus）２１１、電源部２１２及びバッテリ２１３を有している。撮像部２００は、上述したレンズ２１の他に、ＣＣＤ（Charge Coupled Device）型イメージセンサやＣＭＯＳ（Complementary Metal Oxide Semiconductor）型イメージセンサ等の固体撮像素子を有しており、撮像データを出力する。ＧＰＩＯ２０１は、パラレルインタフェースであり、上述した録画ボタン２２、スナップショットボタン２３、ＬＥＤ２４〜２６及びＷｉ−Ｆｉボタン２７とＣＰＵ２０８との間の信号の入出力を行う。
【００１８】
ＲＡＭ２０２は、ＣＰＵ２０８の動作において使用されるワークメモリである。ＲＯＭ２０３は、ＣＰＵ２０８を制御するためのプログラムを記憶する。ＳＤメモリ２０４は、撮像部２００で撮像して得られた撮像データを記憶する。ＳＤメモリ２０４は、カメラ２本体に対して取付け／取外しが可能となっている。ＥＥＰＲＯＭ２０５は、カメラ２を識別するシリアル番号を記憶する。ＲＴＣ２０６は、現在時刻情報を出力する。ＧＰＳ２０７は、現在位置情報を出力する。物理層２０９は、ＯＳＩ（Open Systems Interconnection）参照モデルの第１層であり、Ｗｉ−Ｆｉ通信部２１０とＣＰＵ２０８との接続を規定する。Ｗｉ−Ｆｉ通信部２１０は、Ｗｉ−Ｆｉ通信を行う。ＵＳＢ２１１は、シリアルバスであり、カメラ２のパーソナルコンピュータ３との接続を可能とする。電源部２１２は、コンタクトターミナル２９を介してクレードル４より供給される電源でバッテリ２１３を充電する。バッテリ２１３は、カメラ２の各部に電源を供給する。
【００１９】
ＣＰＵ２０８は、ＲＯＭ２０３に記憶されたプログラムに従って動作する。動作においては、ＲＡＭ２０２を使用するとともに、ＲＴＣ２０６より現在時刻情報を得るとともに、ＧＰＳ２０７より現在位置情報を得る。また、録画ボタン２２，スナップショットボタン２３及びＷｉ−Ｆｉボタン２７の各ボタンの押下の検出を行い、操作があったボタンに対する処理を行う。すなわち、録画ボタン２２が押下された場合は、撮像部２００から出力される撮像データを動画像としてＳＤメモリ２０４に保存する。また、スナップショットボタン２３が押下された場合は、当該ボタン２３が押されたときの撮像データを静止画像としてＳＤメモリ２０４に保存する。また、録画ボタン２２が押下された場合はＬＥＤ２５を点灯させる。Ｗｉ−Ｆｉボタン２７が押下された場合はＷｉ−Ｆｉ通信部２１０を使用してＷｉ−Ｆｉ通信を行う。Ｗｉ−Ｆｉボタン２７が押下された場合はＬＥＤ２６を点灯させるが、通信に関するモードがアクセスポイントモードであれば第１色で点灯させ、ステーションモードであれば第２色で点灯させる。
【００２０】
ＣＰＵ２０８は、動画撮像、静止画撮像及びＷｉ−Ｆｉ通信を行う以外、パーソナルコンピュータ３との間でカメラ２の使用者の認証に関わる処理を行う。特に、当該認証に関わる処理は主にパーソナルコンピュータ３にて行われる。本実施の形態に係る認証システム１は予め警察官に与えられている警官ＩＤ（ユーザＩＤ）と、その警察官が持ち出したカメラ２で撮像して得られた映像の紐付けを行い、撮像が誰の手によって行われたものかを容易に把握できるようにしたものである。警官ＩＤと映像の紐付けは以下のように行われる。
【００２１】
ここで、カメラ２を一人の警察官が利用するようにすれば、初期設定にて警官ＩＤを登録することで、警官ＩＤと映像の紐付けは簡単に行うことができる。しかしながら、一般的に警察署では、勤務形態がシフト制になっており、費用等を考慮すると、カメラ２は不特定多数の人で共同使用することが好ましい。そうすると、初期設定にてカメラ２を特定の警察官に紐付けることができず、撮像画像と、その撮像画像を撮像した警察官とが対応付けされていなければ、後で撮像した警察官を特定することは難しく、特定するには多大な時間がかかってしまう。このような問題に対し、簡易な構成で警察官の業務に影響を少なくした上で、警官ＩＤと映像の紐付けを行うことで、撮像を行った人物を容易に特定することが可能となる。なお、警官ＩＤと映像の紐付けを行うのは、カメラ２で撮影が必要なときは、警察官の場合、不審者若しくは容疑者との対応を録画することが想定され、特に事件になった場合、不審者、容疑者に対して誰が対応したのかはっきりさせる必要があるためである。つまり、カメラ２とカメラ２を利用するユーザの紐付けが必要な場合（他には、接客対応等）、本発明が有用となる。以下、警官ＩＤと映像の紐付けを行う処理について説明する。
【００２２】
〔ステップ１：事前準備〕
タグＩＤと、カメラ２のシリアル番号の対応表を作成する。図４は、認証システム１の認証処理において、カメラ２のシリアル番号とタグＩＤの対応表を作成する処理を示す図である。同図に示すように、パーソナルコンピュータ３にクレードル４とタグリーダ５とサーバ６を接続する。なお、パーソナルコンピュータ３には、予め本処理を行うアプリケーションがインストールされているものとする。
【００２３】
〔１〕パーソナルコンピュータ３にクレードル４とタグリーダ５とサーバ６が接続されていて、パーソナルコンピュータ３が起動している状態で、警察署のシステム管理者は、
すべてのカメラ２をクレードル４に接続することで、データ端子を介してカメラ２のシリアル番号を読み取り、それぞれのシリアル番号をパーソナルコンピュータ３に記憶し、カメラシリアル番号とタグＩＤとの対応表（タグＩＤの欄は空欄）を作成する。そして、読み取ったシリアル番号をパーソナルコンピュータ３の管理画面上に表示する。システム管理者は、パーソナルコンピュータ３の管理画面を見て、一台のカメラ２のシリアル番号を選択する。すなわち、“１００００２”を選択する。システム管理者がカメラ２のシリアル番号を選択したことで、パーソナルコンピュータ３は、選択されたシリアル番号を囲む長方形状の太枠１０を表示し、当該番号が選択されたことを示し、タグＩＤを読み取るための待機状態に移行する。また、システム管理者が所定のカメラ２のシリアル番号を選択することで、このシリアル番号に対応するカメラ２の図示せぬＬＥＤが点灯する。なお、これはシリアル番号に対応するカメラ２を特定するためであるため、例えば、シリアル番号に対応するカメラ２が接続されているクレードル４に付けられたＬＥＤが点灯する等でもよい。
【００２４】
〔２〕次いで、システム管理者は、上記ＬＥＤが点灯したカメラ２をクレードル４から抜き取り、カメラ２にタグ２８を取付ける。タグ２８は前述した図２（ｂ）に示すように、カメラ２の本体裏面側に取付けられる。
【００２５】
〔３〕システム管理者は、カメラ２にタグ２８を取付けた後、カメラ２をタグリーダ５上に置く。タグリーダ５上にカメラ２が置かれると、タグリーダ５は、タグ２８のタグＩＤを読み取り、パーソナルコンピュータ３に転送する。パーソナルコンピュータ３は、タグリーダ５から転送されてきたタグＩＤを現在選択している管理画面上のカメラ２のシリアル番号の右横に表示する。この場合、読み取られたタグＩＤは、“Ａ０００１９９３５”である。
【００２６】
上記〔１〕〜〔３〕の作業を全てのカメラ２に対して行う。これにより、カメラ２のシリアル番号とタグＩＤの対応表１１が作成され、この対応表をパーソナルコンピュータ３に保存する。
【００２７】
〔ステップ２：出動前の登録〕
図５は、認証システム１の認証処理において、タグＩＤと警官ＩＤの対応表を作成する処理を示す図である。また、図６は、認証システム１の認証処理におけるログイン画面の一例を示す図である。図５において、警察官は、出動前に、クレードル４に充電されているカメラ２の中から一台のカメラ２を抜き取り、タグリーダ５上に置く。その後、パーソナルコンピュータ３に表示された図６に示すログイン画面を見て、自身の警官ＩＤとパスワードを入力する。なお、ここで、タグＩＤの読み取りが完了しているのであれば、ログイン中の警察官に対して、タグＩＤや、カメラ２のシリアル番号を表示することもできる。パーソナルコンピュータ３は、警官ＩＤとパスワードが入力されると、警官ＩＤと読み取ったタグＩＤとを関連付けた警官ＩＤ情報表１２を作成し、パーソナルコンピュータ３に保存する。なお、このとき、予めパーソナルコンピュータ３に保存されている警官ＩＤに関連する情報（警察署、部署、勤務シフト、地区等）もあわせて警官ＩＤ情報表１２に追加する。そして、パーソナルコンピュータ３は、この警官ＩＤ情報表１２をサーバ６に送信し、サーバ６では、上記事前準備にて、記録したカメラ２のシリアル番号とタグＩＤの対応表１１と警官ＩＤ情報表１２からタグＩＤを鍵にして、カメラ２のシリアル番号と警官ＩＤの対応表１３を作成し、サーバ６に保存する。
【００２８】
〔ステップ３：勤務中〕
カメラ２に取り付けられたタグ２８の読み取りが完了すると、警察官は、カメラ２を持ち出し、撮影が必要な場所（事件発生場所等）で撮像を行う。撮像して得られた撮像データは、映像ファイルＡＶ１，ＡＶ２、…としてカメラ２のＳＤメモリ２０４に記録される。図７は、カメラ２と映像ファイルＡＶ１，ＡＶ２、…を示す図である。
【００２９】
〔ステップ４：警察署に戻って、映像をアップロード〕
警察官は、警察署に戻ってくると、カメラ２をクレードル４に接続する。カメラ２がクレードル４に接続されると、パーソナルコンピュータ３とカメラ２はデータ端子を介して通信を行う。カメラ２は、ＳＤメモリ２０４に記録された映像ファイルＡＶ１，ＡＶ２、…を読み込んで、パーソナルコンピュータ３へ充電しながら転送する。パーソナルコンピュータ３は、カメラ２から転送されてきた映像ファイルＡＶ１，ＡＶ２、…をサーバ６に転送する。図８は、映像ファイルＡＶ１，ＡＶ２、…の転送の様子を示す図である。なお、同図において、パーソナルコンピュータ３は省略している。図９は、映像ファイルＡＶの構成を示す図である。同図において、映像ファイルＡＶは、撮像データとテキスト情報（メタ情報）で構成される。なお、テキスト情報には、カメラ２のシリアル番号、時刻、ＧＰＳ等、映像データを識別するための情報や、撮影時の条件等が含まれる。
【００３０】
サーバ６は、パーソナルコンピュータ３から転送された映像ファイルＡＶ１，ＡＶ２、…からテキスト情報を読み取り、テキスト情報に含まれるカメラ２のシリアル番号と、ステップ２で作成したカメラ２のシリアル番号と警官ＩＤの対応表１３（図５参照）を使用して、映像と警官ＩＤ、警察署、…を含むイベントリストを作成し、サーバ６に保存する。図１０は、警官ＩＤ、警察署、…を得られたイベントリスト１４を示す図である。イベントリスト１４は、「映像のサムネイル」、「ソース（出所）」、「ファイルネーム」、「分類」、「事件番号」、「警官ＩＤ」、「警察署」の各項目からなり、パーソナルコンピュータ３に表示される。この結果、タグＩＤを介して作成したカメラ２のシリアル番号と警官ＩＤの対応表１３を用いて、カメラ２で撮像した映像と警官ＩＤを紐付けた状態でパーソナルコンピュータ３に表示することが可能になり、どの警官が撮影した映像か分かるようになる。このイベントリスト１４において、見たいイベントがあれば、マウス等を使用して指定することで選択することができる。なお、図１０において、二点鎖線で示した部分１４１は選択されたイベントである。
【００３１】
図１１は、上記ステップ２の出動前の登録処理をフローチャート形式で示した図である。同図において、警察官は、クレードル４に装着された複数のカメラ２の中からまず自身が持ち出したカメラ２をタグリーダ５上に置く（ステップＳ２−１）。タグリーダ５上にカメラ２が置かれると、タグリーダ５は、カメラ２に取付けられたタグ２８のタグＩＤを読み取り、パーソナルコンピュータ３へ転送する（ステップＳ２−２）。タグ２８の読み取りが完了したら、音、ＬＥＤの点灯などで完了を通知し、警察官は、カメラ２をタグリーダ５の上から持ち出し、身体に装着する（ステップＳ２−３）。パーソナルコンピュータ３は、タグリーダ５から転送されてきたタグＩＤを一時的に保存する。
【００３２】
警察官は、カメラ２をタグリーダ５上に置いた後、すぐにパーソナルコンピュータ３に向かい、ログイン画面を見て、ユーザログイン作業を開始する（ステップＳ３−１）。すなわち、自身の警官ＩＤとパスワードを入力する。警察官が入力を完了し、警官ＩＤ、パスワードに誤りがなければ、ユーザログイン作業を完了する（ステップＳ３−２）。パーソナルコンピュータ３は、タグリーダ５から転送されたタグＩＤとユーザが入力した警官ＩＤとの対応表（警官ＩＤ情報表１２）を作成し、パーソナルコンピュータ３に保存するとともに、サーバ６に転送する（ステップＳ３−３）。
【００３３】
サーバ６は、転送された警官ＩＤ情報表１２とカメラ２のシリアル番号とタグＩＤの対応表１１とをタグＩＤを鍵にして、カメラ２のシリアル番号と警官ＩＤの対応表１３を作成し、サーバ６に保存する（ステップＳ４−１）。以上で登録作業が完了する。
【００３４】
警察官の操作は、点線（１）、（２）で示すように、「カメラ２をタグリーダ５上に置く」→「ユーザログイン作業として警官ＩＤとパスワードを入力する」→「カメラ２をタグリーダ５上から持ち出し、身体に装着する」という順番で行われる。また、その際の作業時間が図示する「ユーザの作業時間」となる。
【００３５】
そのため、ステップＳ２−２のタグＩＤを読み取る動作が遅れると、ユーザログイン作業（ステップＳ３−２）が終わった後でも、警察官はカメラ２を持ち出す（ステップＳ２−３）ことができず、ユーザの作業時間が長くなってしまう。そうすると、出動前に不要な時間がかかることになり、緊急時に出動する場合等にこの待ち時間が足かせになる恐れがある。よって、ユーザログイン作業（ステップＳ３−２）の前に、タグＩＤを読み取る動作（ステップＳ２−２）が完了するようなシステムにしている。
【００３６】
上記「ユーザの作業時間」を考慮したタグ２８の例としては、ＵＳＢ等のように認証に時間がかかるものではなく、上述したようなＮＦＣ、バーコード等読み取りに時間がかからないものが良い。
【００３７】
なお、タグＩＤの読み取りにかかる時間がユーザのログイン作業に要する時間より長い場合でも、タグＩＤの読み取りにかかる時間と、ユーザのログイン作業に要する時間のトータル時間の短縮化が図れるため、２つを別々に行うよりは効率は良くなる。なお、ユーザログイン作業はユーザの認証に相当し、タグＩＤの読み取りは、端末であるカメラ２（タグ２８）の認識に相当する。
【００３８】
このように本実施の形態に係る認証システム１によれば、ユーザログイン作業が完了する前に、カメラ２に取付けられたタグ２８のタグＩＤを読み取ることによるカメラ２の認証を完了するので、タグ２８のタグＩＤを読み取ることによるカメラ２の認証にかかる時間と、ユーザログイン作業によるユーザの認証にかかる時間のトータルの作業時間の短縮化を図ることができる。
【００３９】
また、本実施の形態に係る認証システム１によれば、カメラ２に取付けられたタグ２８のタグＩＤと警官ＩＤの紐付けを行うので、カメラ２で撮像された撮像画像が誰の撮像によるものかを調べることなく容易に確認することができる。
【００４０】
ここで、タグ２８として、非接触近距離通信ができることが好ましい理由について説明する。本実施の形態で述べたように、本認証システム１では、撮像画像が誰の撮像によるものかが重要である。そのため、カメラ２の認証作業をユーザログイン作業より前に事前に完了させておくことも考えられるが、特に緊急時の場合、ログイン時に複数のカメラ２の中から警察官が特定のカメラ２を選択することは取り間違い等発生する恐れがある。そのため、警察官がカメラ２をタグリーダ５上に置くという直感的な作業によってカメラ２の取り間違いによるユーザと撮像画像との紐付けの間違いを防止している。また、例えばＷｉ−Ｆｉ等の近距離通信ではないものを利用した場合、近くに存在するほかのカメラ２も認識してしまう可能性があり、この場合もユーザと撮像画像との紐付けの間違いが生じる可能性がある。そのため、近距離無線通信を用いることで、一台のカメラ２のみを認識できるようにしている。
【００４１】
また、図１１に示す作業は毎日のことであり、ＵＳＢ等の機械的な接続を用いるものであれば、耐久性が要求される。その点、非接触であれば、機械的な接続がないため耐久性を気にする必要がなく利用できる。
【００４２】
なお、本実施の形態に係る認証システム１では、カメラ２にタグ２８を取付けるようにしたが、タグ２８をカメラ２に内蔵させてもよい。この場合、出動時にタグ２８に警官ＩＤを書き込み、撮像画像を転送する際に、テキスト情報にこの警官ＩＤと一緒に送ることで、タグＩＤ等が不要になる。
【００４３】
また、本実施の形態に係る認証システム１では、カメラ２のシリアル番号と警官ＩＤの対応表１３をサーバに保存しているが、ローカルで利用する場合等、パーソナルコンピュータ３に保存しても良い。同様に、パーソナルコンピュータ３に保存している警官ＩＤ情報表１２をサーバに保存するようにしてもよい。ただし、カメラ２のシリアル番号と警官ＩＤの対応表１３と同じ場所に撮像画像データを保存することが好ましい。
【産業上の利用可能性】
【００４４】
本発明は、端末の認証作業とユーザの認証作業における処理時間の短縮化が図れるといった効果を有し、複数の端末と、複数の端末の認証を端末毎に行う認証装置とを備えたウェアラブルカメラとそのユーザを認証する認証システムへの適用が可能である。
【符号の説明】
【００４５】
１  認証システム
２  カメラ
３  パーソナルコンピュータ
４  クレードル
５  タグリーダ
６  サーバ
２１  レンズ
２２  録画ボタン
２３  スナップショットボタン
２４〜２６  ＬＥＤ
２７  Ｗｉ−Ｆｉボタン
２８  タグ
２９  コンタクトターミナル
２００  撮像部
２０１  ＧＰＩＯ
２０２  ＲＡＭ
２０３  ＲＯＭ
２０４  ＳＤメモリ
２０５  ＥＥＰＲＯＭ
２０６  ＲＴＣ
２０７  ＧＰＳ
２０８  ＣＰＵ
２０９  物理層
２１０  Ｗｉ−Ｆｉ通信部
２１１  ＵＳＢ
２１２  電源部
２１３  バッテリ
【要約】
【課題】携帯端末認識、ユーザ認証を含めたユーザと携帯端末との紐付け作業における処理時間の短縮化が図れる認証システムを提供する。
【解決手段】複数の携帯端末と、複数の携帯端末を認識可能な認証装置と、を備えた認証システムであって、携帯端末は、複数の携帯端末を識別する識別情報を有する非接触近距離通信用タグを有し、認証装置は、識別情報を認識する認識部と、ユーザを認証する認証部と、識別情報とユーザとを紐付ける紐付け部と、を有し、複数の携帯端末のうち一台のみの携帯端末の識別情報を認識後、ユーザの認証を開始することで、処理時間の短縮化が図れる。
【選択図】図１【図１】
0005857276.tif 000002
【図２】
0005857276.tif 000003
【図３】
0005857276.tif 000004
【図４】
0005857276.tif 000005
【図５】
0005857276.tif 000006
【図６】
0005857276.tif 000007
【図７】
0005857276.tif 000008
【図８】
0005857276.tif 000009
【図９】
0005857276.tif 000010
【図１０】
0005857276.tif 000011
【図１１】
0005857276.tif 000012